(57)【特許請求の範囲】
【請求項１】
真中部分をへこませた前枠（１）と後枠（２）の両端を左右のつなぎ枠（３、４）で連結固定し、左右のつなぎ枠（３、４）の下端の側面に各々ベアリング（５、５）を取り付け、そして、底面の上部と下部に各々車輪（６、６）を取り付けて、また、上面に数個の支柱（７）を固着し、その支柱（７）の上部にコ字形のレール部（８、８）の開口部を対向して取り付け、そのレール部（８、８）の下部を側壁より切り離してスケージローラー部出し入れ溝（９、９）をつくり、その切り離した部分をＬ字形に曲げてローラー上がり止め（３２）を形成し、また、下端に下部スケージローラー止め（１０、１０）を取り付け、さらに、左右の真中より下めに対向して捺染型枠止め（１１、１１）を取り付けた手捺染機。
【請求項２】
スケージ固定金物（１２．１２）に補強枠（１３）を取り付け、さらに、スケージ補足把手（１４）を取り付け、そして、スケージ固定金物（１２．１２）より突き出た二股杆回転軸（２０．２０）に二股杆（１５．１５）を取り付け、その二股杆（１５．１５）の両端に各々垂直方向に回転するローラー（１６．１６）を取り付け、その枝の先端には、水平方向に回転するローラー（１７．１７）を取り付け、そして、止め杆（１８．１８）を二股杆（１５．１５）の上面の手前部分にあたるようにつき出して固定金物（１２．１２）に取り付け、さらに、スケージ固定金物（１２．１２）にスケージ取付板（１９．１９）を取り付け、そのスケージ取付板（１９．１９）にスケージ（２１）を装備した補足把手付スケージ。
【発明の詳細な説明】
【０００１】
【発明に属する技術分野】
この発明は、手捺染作業において、補足把手を付けたスケージの両端を支持して、スケージを上下に動かす手捺染機の構造に関するものである。
【０００２】
【従来の技術】
従来の手捺染においては、手捺染用スケージの上部を片手又は両手で握り、傾斜式の捺染台の表面に置いた捺染型枠の紗にのっている染色のりを捺染型枠の上部まで持ち上げて、かき降ろし又は、突き上げてからかき降ろして生地に捺染していたが、その手捺染用スケージの角度と圧力は、作業者の経験による勘によって作業されていた（図６、図５参照）。
【０００３】
【発明が解決しようとする課題】
従来の手捺染にあっては、手捺染用スケージを捺染型枠の紗に当てる角度及び圧力は、作業者の勘によっていたため、その作業は熟練を要し、その上、重労働であるため有能な人材の確保が難しくなってきた。また、近年、生地巾が広くなった為に、スケージで染色のりを生地に捺染するのに、上の方が届きにくく、上下の圧力のかけ方が均一になりにくく、品物によっては熟練工であっても色ムラができる。
【０００４】
しかし、手捺染は、オート捺染や機械捺染とは異なり、捺染する前に捺染型枠を捺染機に装備する必要がなく、捺染型枠を手で持って捺染型枠のポイント当てを捺染台の定着ポイントに当てて、染色したい生地の長さだけ捺染型枠を移し置きながら捺染するので、型合わせの時間が短くてすみ、小ロット加工の注文に対応できる。又、手捺染は、オート捺染のように連続して捺染せずに、一配色ずつ乾かしながら捺染するので色の重みと深みが製品に現れるという特長を有する。
【０００５】
又、最近、染色業界も厳しくなり不良品を出すと染めの加工台が只になり、その上、その生地を買い取りという負担を背負わされ、染色工場に置いては、死活問題になるので、手捺染の特長をなくさずに捺染型に簡単に装備でき、その上、手で運び易く、更に、スケージの角度と圧力を確実に上下に動かすことができるスケージ補助機具を、各メーカーが研究開発してきたが解決しなかった。
【０００６】
その重要な問題を解決する為、先に開発した補足把手付スケージ補助機具（特願平１０−１１００５７出願番号参照）と、誘導機（特願平１０−３３４８８９）で解決しようとしたが、捺染型枠への取り外しの時間を要し、又、捺染型枠の製造メーカーによる形状の違いと、捺染型枠製造時の溶接方法によるひずみなどで、スケージの圧力調整が多くなり、その上、捺染型枠がかなりの重さになる為、誘導機を使わなくてはならないので生産効率が低くなった。
【０００７】
【課題を解決するための手段】
上記欠点を補うために、その構成を説明すると、真中部分をへこませた前枠１と、後枠２の両端を左右のつなぎ枠３、４で連結固定し、左右のつなぎ枠３、４の下端の側面に各々ベアリング５、５を取り付け、そして、底面の上部と下部に各々車輪６、６を取り付けて、また、上面に数個の支柱７を固着し、その支柱７の上部にコ字形のレール部８、８の開口部を対向して取り付け、そのレール部８、８の下部を側壁より切り離してスケージローラー部出し入れ溝９、９をつくり、その切り離した部分をＬ字型に曲げてローラー上がり止め３２を形成し、また、下端に下部スケージローラー止め１０、１０を取り付け、さらに、左右の真中より下めに対向して捺染型枠止１１，１１を取り付ける。
【０００８】
そして、スケージ固定金物１２、１２に補強枠１３を取り付け、さらに、スケージ補足把手１４を取り付ける。そして、スケージ固定金物１２、１２より突き出た二股杆回転軸２０、２０に二股杆１５、１５を取り付け、その二股杆１５、１５の両端に各々垂直方向に回転するローラー１６、１６を取り付け、その枝の先端には、水平方向に回転するローラー１７、１７を取り付ける。そして、止め杆１８、１８を二股杆１５、１５の上面の手前部分にあたるようにつき出して固定金物１２、１２に取り付ける。さらに、スケージ固定金物１２、１２にスケージ取付板１９、１９を取り付け、そのスケージ取付板１９、１９にスケージ２１を装備する。
【０００９】
そして、回転する二股杆１５、１５と止め杆１８、１８の当たる位置が染色のり２６を生地３１に捺染するときの一番よい角度に止め杆１８、１８の高さを合わせる。そして、捺染出発点に置いた手捺染機の真中辺の間に、捺染型枠２４のストッパー２９をポイント２８に当て置く、そして、補足把手付スケージのローラー部１６、１７、１６、１７を手捺染機の対向して開口したコ字形のレール部８、８のスケージローラー部出し入れ溝９、９にはめ込んで作業する。（図４，図１、図５、図２、図３参照）
【００１０】
【実施例】
本発明の実施の形態を、図面を参照して説明する。
かき降ろしの場合を、図７、図８で説明すると、図７は、スケージ補足把手１４を持ち上げながらスケージ２１で捺染型枠２４の下部にある染色のり２６を適量だけすくい上げて、その状態で捺染型枠２４の上部まで持っていきスケージ補足把手１４を持ち下げて染色のり２６を降ろす。
【００１１】
図８で、スケージ補足把手１４を二股杆１５、１５が止め杆１８、１８に当たるまで押し下げて、その状態で垂直方向に回転するローラー１６、１６が下部スケージローラー止め１０、１０に当たる迄かき降ろす。
【００１２】
図３、図８で、捺染型枠２４の次のポイント２８への移動を説明すると、右手で補強枠１３を支え持ち、左手で手持ち２５を持って捺染型枠２４の上部を持ち上げながらストッパー２９が、ポイント２８を越える高さ迄持ち上げると、左側の垂直方向に回転するローラー１６は、ローラー上がり止め３２に当たる状態になり、捺染型枠２４のストッパー２９がポイント２８を越えて、捺染型枠２４の下部の右側端の側面だけレール２７に添わす状態で移動する事が出来る。そして捺染型枠２４を右方向に移動させると、捺染型枠２４が右側の捺染型枠止め１１に当たり、手捺染機全体と捺染型枠２４が合体する状態でストッパー２９が次のポイント２８に当たる迄移動する。そして、当たると同時に捺染型枠２４を降ろし捺染台に定着させて、その繰り返しで作業する。
【００１３】
そして、つき上げてから、かき降ろす場合を図９、図１０で説明すると、図９は、スケージ補足把手１４を持ち下げて、スケージ２１で捺染型枠２４の下部にある染色のり２６を適量だげ取り、そして、二股杆１５、１５が止め杆１８、１８に当たる迄スケージ補足把手１６を押し下げて、その状態で捺染型枠２４の上部まで染色のり２６をつき上げてから、補足把手１６を持ち上げて、つき上げてきた染色のり２６をスケージ２１が越える。
【００１４】
図１０で、スケージ補足把手１４を、二股杆１５、１５が止め杆１８、１８に当たる迄押し下げて、その状態で垂直方向に回転するローラー１６、１６が、下部スケージローラー止め１０、１０に当たる迄かき降ろす。
【００１５】
図３、図１０で、捺染型枠２４の次のポイント２８への移動を説明すると、右手で補強枠１３を支え持ち、左手で手持ち２５を持って捺染型枠２４の上部を持ち上げながらストッパー２９が、ポイント２８を越える高さ迄持ち上げると、  左側の垂直方向に回転するローラー１６は、ローラー上がり止め３２に当たる状態になり、捺染型枠２４のストッパー２９がポイント２８を越えて、捺染型枠２４の下部の右側端の側面だけレール２７に添わす状態で移動する事ができる。そして捺染型枠２４を右方向に移動させると、捺染型枠２４が右側の捺染型枠止め１１にあたり、手捺染機全体と捺染型枠２４が合体する状態でストッパー２９が次のポイント２８に当たる迄移動する。そして、当たると同時に捺染型枠２４を降ろし捺染台に定着させて、その繰り返しで作業する。
【００１６】
【発明の効果】
本発明は、以上説明したように構成されているので、以下に記載されるような効果を奉する。
【００１７】
手捺染機のレール部に、補足把手付スケージのローラー部をはめ込んで、二股杆を止め杆に押し当てて、かき降ろし又は、つき上げてからかき降ろして生地に染色することにより、圧力及び角度が一定になり、経験の深浅にかかわらず同じ物が出来る。
【００１８】
そして、近年、消費者の体格が大きくなり、その影響で生地巾が広くなり、傾斜式の捺染台に地張りした生地の上部の方が、スケージが届きにくくなったので、生地に捺染するときのスケージの角度と圧力が不安定になり、染色ムラの原因になったが、スケージに補足把手を取り付けた事により、上の方も容易に届くようになったので安定した染色ができる。
【００１９】
さらに、作業開始時、手捺染機の左右上下枠の間に、捺染型枠を挿入するが、その時、捺染型枠のストッパーを捺染台のレールに定着してあるポイントにあてながら、捺染型枠を捺染台の表面において手捺染機への捺染型枠の挿入が簡単に完了し、そして、補足把手付スケージのローラー部を手捺染機のレールの開口部にはめ込んで捺染作業を開始することが出来るので、手捺染機と捺染型枠の取り外しを要せず、又、捺染型枠への補助機具の取り付けを必要としないので、作業効率が甚だ良くなったのである。
【００２０】
又、捺染型枠を、次のポイントに移動するとき、捺染型枠を手捺染機の右側の捺染型枠止に、あてながら移し置くことにより捺染機の重さが捺染型枠にのしかからず、手捺染機を使用する作業者が違和感を感じることなく能率的に作業することができる。
【００２１】
そして、染工場では、捺染型枠を千枚もしくは、数千枚ほど所有しており、捺染機に合わせた捺染型枠が必要とすれば莫大な費用が必要となるが今回開発した手捺染機は、在来の捺染型枠をそのまま使用することが出来るので経済的である。
【図面の簡単な説明】
【図１】本発明の斜面図
【図２】本発明に従来の捺染型枠を挿入した斜面図
【図３】本発明に従来の捺染型枠を挿入し補足把手付スケージをはめ込んだ斜面図
【図４】本発明に使用する補足把手付スケージの斜面図
【図５】従来の捺染型枠の斜面図
【図６】従来の手捺染用スケージの斜面図
【図７】本発明の実施例を示す側面図
【図８】本発明の実施例を示す側面図
【図９】本発明の実施例を示す側面図
【図１０】本発明の実施例を示す側面図
【符号の説明】
１、前枠
２、後枠
３、左つなぎ枠
４、右つなぎ枠
５、ベアリング
６、車輪
７、支柱
８、レール部
９、スケージローラー部出し入れ溝
１０、下部スケージローラー止め
１１、捺染型枠止め
１２、スケージ固定金物
１３、補強枠
１４、スケージ補足把手
１５、二股杆
１６、垂直方向に回転するローラー
１７、水平方向に回転するローラー
１８、止め杆
１９、スケージ取付板
２０、二股杆回転軸
２１、スケージ
２２、手捺染用スケージ
２３、捺染台
２４、捺染型枠
２５、手持ち
２６、染色のり
２７、レール
２８、ポイント
２９、ストッパー
３０、捺染型枠の紗
３１、生地
３２、ローラー上がり止め
【図１】
0003663415.tif 000002
【図２】
0003663415.tif 000003
【図３】
0003663415.tif 000004
【図４】
0003663415.tif 000005
【図５】
0003663415.tif 000006
【図６】
0003663415.tif 000007
【図７】
0003663415.tif 000008
【図８】
0003663415.tif 000009
【図９】
0003663415.tif 000010
【図１０】
0003663415.tif 000011